(57)【要約】  【課題】  変調用トランジスタ１のコレクタ・ベース間に負帰還抵抗６を接続し、その抵抗６により変調用トランジスタ１にベースバイアスを供給して安定化された出力ＡＳＫ変調信号が得られるＡＳＫ変調回路を提供する。  【解決手段】  エミッタ接地形式で動作し、ベースに搬送波信号が入力されるとともに第１の抵抗５を介して被変調信号が入力される変調用トランジスタ１を備え、変調用トランジスタ１は、コレクタ・ベース間に第２の抵抗６が接続され、コレクタが第３の抵抗１１を介して電源端子９に接続され、コレクタから変調信号が出力される。  【選択図】図１
2007251227.tif 000002
【特許請求の範囲】
【請求項１】
エミッタ接地形式で動作し、ベースに搬送波信号が入力されるとともに第１の抵抗を介して被変調信号が入力される変調用トランジスタを備え、前記変調用トランジスタは、コレクタ・ベース間に第２の抵抗が接続され、前記コレクタが第３の抵抗を介して電源端子に接続され、前記コレクタから変調信号が出力されることを特徴とするＡＳＫ変調回路。
【請求項２】
前記変調用トランジスタは、そのベースと前記第２の抵抗との間に第４の抵抗が接続され、前記被変調信号が前記第１の抵抗を介して前記第２の抵抗と前記第４の抵抗との接続点に入力され、前記第１の抵抗の抵抗値を前記第２の抵抗の抵抗値及び前記第４の抵抗の抵抗値よりも小さい値に選んでいることを特徴とする請求項１に記載のＡＳＫ変調回路
【発明の詳細な説明】
【技術分野】
【０００１】
本発明は、ＡＳＫ変調回路に係り、特に、変調用トランジスタのｈFEのバラツキや周囲温度変化に伴うコレクタ・エミッタ電流の変動等によって変調用トランジスタの信号利得や変調度が変動するのを防いでいるＡＳＫ変調回路に関する。
【背景技術】
【０００２】
従来、トランジスタを用いたＡＳＫ変調回路としては、エミッタを接地接続した変調用トランジスタのベースに搬送波信号と被変調信号とを加え、そのコレクタからＡＳＫ変調信号を取り出すような構成のものが用いられていた。
【０００３】
ここで、図４は、かかる既知のＡＳＫ変調回路の構成の一例を示す回路図であって、例えば特開平１１−１５０５７０号に開示されているものである。
【０００４】
図４に示されるように、このＡＳＫ変調回路は、エミッタが接地接続された変調用トランジスタ４０と、搬送波信号入力端子４１と変調用トランジスタ４０のベース間に接続された入力結合コンデンサ４２と、被変調信号入力端子４３と変調用トランジスタ４０のベース間に接続された結合抵抗４４と、変調用トランジスタ４０のコレクタとＡＳＫ変調信号出力端子４５との間に接続された出力結合コンデンサ４６と、変調用トランジスタ４０のコレクタと電源端子４７間に直列接続された負荷インダクタ４８及び平滑抵抗４９と、負荷インダクタ４８と平滑抵抗４９との接続点と接地間に接続された側路コンデンサ５０とからなっている。
【０００５】
前記構成による既知のＡＳＫ変調回路は、搬送波信号入力端子４１に搬送波信号が入力され、被変調信号入力端子４３に被変調信号が入力されると、変調用トランジスタ４０は、搬送波信号を被変調信号によってＡＳＫ変調し、そのコレクタからＡＳＫ変調信号が導出され、ＡＳＫ変調信号出力端子４５からＡＳＫ変調信号が次続回路に供給されるものである。
【特許文献１】特開平１１−１５０５７０号
【発明の開示】
【発明が解決しようとする課題】
【０００６】
前記既知のＡＳＫ変調回路は、構成が比較的簡単であるため、安価で小型のＡＳＫ変調回路を得ることができるものであるが、変調用トランジスタ４０の動作を安定化させる手段を何等具備していないため、使用される変調用トランジスタ４１のｈFEが変動したり、使用される変調用トランジスタ４０の周囲環境の変動によってそのコレクタ・エミッタ電流が変動したりすると、それに伴って変調用トランジスタの信号利得やＡＫＳ変調度が変動し、ＡＳＫ変調回路から出力信号振幅が安定化されないＡＫＳ変調信号が出力されるという事態を生じるようになる。
【０００７】
本発明は、このような技術的背景に鑑みてなされたもので、その目的は、変調用トランジスタのコレクタ・ベース間に負帰還抵抗を接続し、その負帰還抵抗により変調用トランジスタにベースバイアスを供給して安定化された出力ＡＳＫ変調信号を得ることが可能なＡＳＫ変調回路を提供することにある。
【課題を解決するための手段】
【０００８】
前記目的を達成するために、本発明によるＡＳＫ変調回路は、エミッタ接地形式で動作し、ベースに搬送波信号が入力されるとともに第１の抵抗を介して被変調信号が入力される変調用トランジスタを備え、変調用トランジスタは、コレクタ・ベース間に第２の抵抗が接続され、コレクタが第３の抵抗を介して電源端子に接続され、コレクタから変調信号が出力される構成手段を具備する。
【０００９】
この場合、前記構成手段において、変調用トランジスタは、ベースと第２の抵抗との間に第４の抵抗が接続され、被変調信号が第１の抵抗を介して第２の抵抗と第４の抵抗との接続点に入力され、第１の抵抗の抵抗値を第２の抵抗の抵抗値及び第４の抵抗の抵抗値よりも小さい値に選ぶことが好適である。
【発明の効果】
【００１０】
以上のように、本発明によるＡＳＫ変調回路によれば、変調用トランジスタのコレクタ・ベース間に負帰還抵抗（請求項１における第２の抵抗）を接続し、その負帰還抵抗を通して変調用トランジスタのベースに安定化ベースバイアス電圧を供給するようにしたので、使用される変調用トランジスタのｈFEにバラツキがあってその特性が若干変動したとしても、また、使用される変調用トランジスタの周囲環境の変動によってそのコレクタ・エミッタ電流が変動しようとしても、その変動状態を負帰還抵抗によって抑えることができ、それにより変調用トランジスタの信号利得やＡＫＳ変調度が変動してＡＳＫ変調回路から出力信号振幅が安定化されないＡＫＳ変調信号が出力されるという事態を生じることがなくなるという効果がある。
【発明を実施するための最良の形態】
【００１１】
以下、本発明の実施の形態を図面を参照して説明する。
【００１２】
図１は、本発明によるＡＳＫ変調回路の第１の実施の形態に係るもので、その要部構成を示す回路図である。
【００１３】
図１に示されるように、第１の実施の形態に係るＡＳＫ変調回路は、エミッタが接地接続された変調用トランジスタ１と、搬送波信号入力端子２と変調用トランジスタ１のベース間に接続された入力結合コンデンサ３と、被変調信号入力端子４と変調用トランジスタ１のベース間に接続されたバッファ抵抗（請求項１における第１の抵抗）５と、変調用トランジスタ１のコレクタとベースとの間に接続された負帰還抵抗（請求項１における第２の抵抗）６と、変調用トランジスタ４０のコレクタとＡＳＫ変調信号出力端子７との間に接続された出力結合コンデンサ８と、変調用トランジスタ１のコレクタと電源端子９間に直列接続された負荷インダクタ１０及び平滑抵抗（請求項１における第３の抵抗）１１と、負荷インダクタ１０と平滑抵抗１１との接続点と接地間に接続された側路コンデンサ１２とからなっている。
【００１４】
前記構成による第１の実施の形態に係るＡＳＫ変調回路は、搬送波信号入力端子２に搬送波信号が入力され、被変調信号入力端子４に被変調信号が入力されると、変調用トランジスタ１は、そのベースに搬送波信号と被変調信号とが入力され、それによって搬送波信号を被変調信号によってＡＳＫ変調し、そのコレクタにＡＳＫ変調信号が発生する。このＡＳＫ変調信号は、ＡＳＫ変調信号出力端子７から次続回路に供給される。
【００１５】
このとき、変調用トランジスタ１は、コレクタとベース間に負帰還抵抗６が接続され、変調用トランジスタ１のベースに、電源電圧（＋Ｂ）を平滑抵抗１１及び負帰還抵抗６とバッファ抵抗５とによって分圧したベース電圧が供給される。この場合、平滑抵抗１１、負帰還抵抗６、バッファ抵抗５の各抵抗値を選択することにより、被変調信号がハイレベルにあるとき、変調用トランジスタ１が十分にオンするようなベース電圧になるように設定し、一方、被変調信号がローレベルにあるとき、変調用トランジスタ１がオフになるように設定している。そして、このような設定を行うことにより、被変調信号がハイレベル時に変調用トランジスタ１がオンになり、被変調信号がローレベル時に変調用トランジスタ１がオフになり、そのコレクタからＡＳＫ変調信号を発生させることができる。
【００１６】
このように、第１の実施の形態に係るＡＳＫ変調回路は、変調用トランジスタ１のベースに負帰還によって安定化されたベースバイアス電圧が供給されるので、変調用トランジスタ１のｈFEに若干のバラツキがあっても、また、使用時に変調用トランジスタの周囲環境が変動し、そのコレクタ・エミッタ電流が変動しようとしても、その変動状態が負帰還によって抑えられ、変調用トランジスタの信号利得やＡＫＳ変調度が変動してＡＳＫ変調回路から出力信号振幅が安定化されないＡＳＫ変調信号が出力されるという事態を生じることがなくなる。
【００１７】
次に、図２は、本発明によるＡＳＫ変調回路の第２の実施の形態に係るもので、その要部構成を示す回路図である。なお、図２において、図１に図示された構成要素と同じ構成要素については同じ符号を付けている。
【００１８】
図２に示されるように、第２の実施の形態に係るＡＳＫ変調回路は、第１の実施の形態に係るＡＳＫ変調回路と比べると、変調用トランジスタ１のコレクタとベースとの間に２つの負帰還抵抗（請求項２における第２の抵抗及び第４の抵抗）６、１３が直列接続されており、被変調信号入力端子４と２つの負帰還抵抗６、１３の接続点間にバッファ抵抗（請求項１における第１の抵抗）５が接続されている点において構成上の相違があるが、それ以外の点については、前述の第１の実施の形態に係るＡＳＫ変調回路の構成と同じである。そして、第２の実施の形態に係るＡＳＫ変調回路は、バッファ抵抗（第１の抵抗）５の抵抗値（Ｒ１）を、２つの負帰還抵抗（第２の抵抗及び第４の抵抗）６、１３の抵抗値（Ｒ２、Ｒ４）に比べて小さい抵抗値（Ｒ１＜Ｒ２、Ｒ４）を有するように選んでいる。
【００１９】
ここで、、図３（ａ）、（ｂ）は、図２に図示されたＡＳＫ変調回路の動作を説明するための等価回路図であって、（ａ）は被変調信号がハイレベルにあるときの等価回路であり、（ｂ）は被変調信号がローレベルにあるときの等価回路である。なお、被変調信号がローレベルになるときは、被変調信号源の内部インピーダンスは他の抵抗値Ｒ１、Ｒ２、Ｒ４に比べて十分低くなる。
【００２０】
図２に示されるように、変調用トランジスタ１は、コレクタとベース間に直列接続された２つの負帰還抵抗６、１３が設けられ、変調用トランジスタ１のベースに、電源電圧（＋Ｂ）を平滑抵抗１１及び２つの負帰還抵抗６、１３とバッファ抵抗５とによって分圧したベース電圧が供給される。このとき、平滑抵抗１１、２つの負帰還抵抗６、１３、バッファ抵抗５の各抵抗値を選択する、特に、２つの負帰還抵抗６、１３とバッファ抵抗５との間において、バッファ抵抗５の抵抗値（Ｒ１）を、２つの負帰還抵抗６、１３の抵抗値（Ｒ２、Ｒ４）の抵抗値よりも小さくなる（Ｒ１＜Ｒ２、Ｒ４）ように選んでいる。そして、被変調信号がハイレベルにあるときは、図３（ａ）に示すように、被変調信号のハイレベルによって変調用トランジスタ１のベースに、変調用トランジスタ１を十分にオンするようなベース電圧が供給されるように設定し、一方、図３（ｂ）に示すように、被変調信号がローレベルにあるときは、被変調信号のローレベルを受けて変調用トランジスタ１がオフするようなベース電圧が供給されるように設定している。
【００２１】
このとき、変調用トランジスタ１は、コレクタとベース間に２つの負帰還抵抗６、１３が接続され、変調用トランジスタ１のベースに、電源電圧（＋Ｂ）を平滑抵抗１１及び負帰還抵抗６、１３とバッファ抵抗５とによって分圧したベース電圧が供給される。この場合、平滑抵抗１１、負帰還抵抗６、１３、バッファ抵抗５の各抵抗値を前述のように選択することにより、被変調信号がハイレベルにあるとき、変調用トランジスタ１が十分にオンするようなベース電圧になるように設定し、一方、被変調信号がローレベルにあるとき、変調用トランジスタ１がオフになるように設定している。このような設定を行うことにより、第２の実施の形態に係るＡＳＫ変調回路においては、被変調信号がハイレベル時に変調用トランジスタ１がオンになり、被変調信号がローレベル時に変調用トランジスタ１がオフになり、そのコレクタからＡＳＫ変調信号を発生させることができる。
【００２２】
このように、第２の実施の形態に係るＡＳＫ変調回路においても、変調用トランジスタ１のベースに負帰還によって安定化されたベースバイアス電圧が供給されるので、変調用トランジスタ１のｈFEに若干のバラツキがあっても、使用時に変調用トランジスタの周囲環境が変動し、そのコレクタ・エミッタ電流が変動しようとしても、その変動状態が負帰還によって抑えられ、変調用トランジスタの信号利得やＡＫＳ変調度が変動してＡＳＫ変調回路から出力信号振幅が安定化されないＡＳＫ変調信号が出力されるという事態を生じることがなくなる。
【図面の簡単な説明】
【００２３】
【図１】本発明によるＡＳＫ変調回路の第１の実施の形態に係るもので、その要部構成を示す回路図である。
【図２】本発明によるＡＳＫ変調回路の第２の実施の形態に係るもので、その要部構成を示す回路図である。
【図３】図２に図示されたＡＳＫ変調回路の動作を説明するための等価回路図である。
【図４】既知のＡＳＫ変調回路の構成の一例を示す回路図であって、例えば特開平１１−１５０５７０号に開示されているものである。
【符号の説明】
【００２４】
１  変調用トランジスタ
２  搬送波信号入力端子
３  入力結合コンデンサ
４  被変調信号入力端子
５  バッファ抵抗（第１の抵抗）
６、１３  負帰還抵抗（第２、第４の抵抗）
７  ＡＳＫ変調信号出力端子
８  出力結合コンデンサ
９  電源端子
１０  負荷インダクタ
１１  平滑抵抗（第３の抵抗）
１２  側路コンデンサ１２
【図１】
2007251227.tif 000003
【図２】
2007251227.tif 000004
【図３】
2007251227.tif 000005
【図４】
2007251227.tif 000006